(57)【特許請求の範囲】
【請求項１】
複数の色のインクを噴射するインクジェットプリンタであって、
前記複数の色のインクを供給するインク供給源と、
前記インク供給源に接続されており、複数のノズルが形成されたインクジェットヘッドであって、前記複数のノズルが、前記複数色のインクのうち互いに異なる色のインクをそれぞれ噴射する複数のノズル群を形成するインクジェットヘッドと、
前記ノズルから前記インクジェットヘッド内の液体を排出させるパージ機構と、
前記インクジェットヘッド及び前記パージ機構を制御するコントローラと、
前記インクジェットプリンタの初回の使用前の状態において、前記インクジェットヘッドに充填された充填液であって、前記複数色のインクとは異なる液体であって、ある色の色材を含む充填液とを備え、
前記コントローラは、前記インクジェットプリンタの初回の使用前に、前記パージ機構を制御して、前記インクジェットヘッド内の前記充填液を排出させて、前記インクジェットヘッド内の充填液を、前記インク供給源から供給される前記インクに置換させる初期パージを行わせ、前記初期パージ後、前記インクジェットヘッドを制御して、前記インク供給源から前記インクジェットヘッドに供給される前記インクと、前記インクが前記インクジェットヘッド内に供給されることによって前記充填液の一部が置換された置換インクとの間の色差に応じて、前記複数のノズルから排出させる排出インクの量を調整して初期フラッシングを行わせることを特徴とするインクジェットプリンタ。
【請求項２】
複数の色のインクを噴射するインクジェットプリンタであって、
前記複数の色のインクを供給するインク供給源と、
前記インク供給源に接続されており、複数のノズルが形成されたインクジェットヘッドであって、前記複数のノズルが、前記複数色のインクのうち互いに異なる色のインクをそれぞれ噴射する複数のノズル群を形成するインクジェットヘッドと、
前記ノズルから前記インクジェットヘッド内の液体を排出させるパージ機構と、
前記インクジェットヘッド及び前記パージ機構を制御するコントローラと、
前記インクジェットプリンタの初回の使用前の状態において、前記インクジェットヘッドに充填された充填液であって、前記複数色のインクとは異なる液体であって、ある色の色材を含む充填液とを備え、
前記コントローラは、前記インクジェットプリンタの初回の使用前に、前記パージ機構及び前記インクジェットヘッドを制御して、初期パージ及び初期フラッシングを含む初期排出動作を実行させ、且つ、
前記インク供給源から前記インクジェットヘッドに供給される前記インクと、前記インクが前記インクジェットヘッド内に供給されることによって前記充填液の一部が置換された置換インクとの間の色差が小さいほど、前記初期排出動作において前記インクジェットヘッドから排出される排出インクの量が少なくなるように調整することを特徴とするインクジェットプリンタ。
【請求項３】
前記コントローラは、前記パージ機構を制御して、前記インクジェットヘッド内の前記充填液を排出させて、前記インクジェットヘッド内の充填液を、前記インク供給源から供給される前記インクに置換させる前記初期パージを行わせ、前記初期パージ後、前記インクジェットヘッドを制御して、前記色差が小さいほど、前記複数のノズルから排出させる排出インクの量が少なくなるように調整して前記初期フラッシングを行わせることを特徴とする請求項２に記載のインクジェットプリンタ。
【請求項４】
前記コントローラは、
前記色差が小さいほど、前記初期フラッシングにおけるインクの噴射量が少なくなるように、前記インクジェットヘッドを制御することを特徴とする請求項１に記載のインクジェットプリンタ。
【請求項５】
前記複数の色のインクは、イエロー、マゼンタ、シアンのインクを含み、
前記複数のノズルは、イエローのインクを噴射するイエローノズル、マゼンタのインクを噴射するマゼンタノズル、及び、シアンのインクを噴射するシアンノズルを含み、
前記充填液は、イエローの色材のみを含んでおり、
前記コントローラは、前記初期フラッシングにおいて、前記シアンノズルから噴射させるインクの噴射量を、前記イエローノズル、及び、前記マゼンタノズルから噴射させるインクの噴射量よりも少なくなるように、前記インクジェットヘッドを制御することを特徴とする請求項３又は４に記載のインクジェットプリンタ。
【請求項６】
前記複数の色のインクが、色材として顔料を含むブラックのインクと、色材として染料を含むカラーのインクとを含み、
前記充填液の色材が、前記カラーインクと同じ染料であることを特徴とする請求項１又は３に記載のインクジェットプリンタ。
【請求項７】
前記充填液は、前記複数の色のインクに対して共通であり、
前記パージ機構は、複数の前記ノズル群を覆う吸引キャップと、前記吸引キャップを前記インクジェットヘッドに当接するように移動させる移動機構と、前記吸引キャップに連通した吸引ポンプとを備えることを特徴とする請求項１〜６のいずれか１項に記載のインクジェットプリンタ。
【発明の詳細な説明】
【技術分野】
【０００１】
本発明は、初回の使用前の状態で、インクジェットヘッドにインクとは異なる充填液が充填されたインクジェットプリンタに関する。
【背景技術】
【０００２】
特許文献１に記載のインクジェット記録装置においては、インクカートリッジが装着されたときに、ノズルから記録ヘッド内の保存液を排出するパージ（初期パージ）を行い、その後、ノズルからインクを噴射するフラッシング（初期フラッシング）を行っている。これにより、ノズル内に残った気泡などを完全に排出している。ここで、パージは、記録ヘッドのノズル面が吸引キャップに覆われた状態で、吸引キャップに接続された吸引ポンプを駆動することによって行われる。
【０００３】
また、このインクジェット記録装置においては、工場からの出荷時に、記録ヘッド（インクジェットヘッド）内部に乾燥を防止するために保存液（充填液）が充填されている。言い換えると、初回の印字を行う前（初回使用前）には、印字に用いられるインクとは異なる充填液がインクジェットヘッドに充填されている。そのため、初回の使用時にインクカートリッジが装着されると、上述のパージにより、インクジェットヘッド内の保存液が排出されて、インクカートリッジから供給される４色のインクにそれぞれ置換される。そして、その後に行われるフラッシングにより、ノズル内に残った気泡などとともに、初期パージで排出し切れなかった保存液が排出される。
【０００４】
また、記録ヘッド内に充填される充填液として、特許文献２には、記録用インクとは異なる液体を用いることが知られている。具体的には、記録用インクから固着しやすい成分及び水分比率を減らし、溶剤成分を増加させた液体である物流用インクを用いることが知られている。
【先行技術文献】
【特許文献】
【０００５】
【特許文献１】特開平１１−７８０６８号公報
【特許文献２】特開２００２−２８３５９０号公報
【発明の概要】
【発明が解決しようとする課題】
【０００６】
ここで、印刷品質を確保するためには、初期フラッシングにおいて、初期パージにおいて排出し切れなかった物流インクを十分に排出して、インクが充填液と混ざるときに引き起こされるインクの色変化を十分に小さくする必要がある。その為、初期フラッシングでは過剰にインクを噴射させていた。その結果、初期フラッシングにおけるインクの消費量が多くなってしまうという問題があった。
【０００７】
本発明の目的は、インクジェットヘッド内の充填液をインクに置換した後に行われる初期フラッシングにおけるインクの消費量を極力抑えることが可能なインクジェットプリンタを提供することである。
【課題を解決するための手段】
【０００８】
第１の発明に係るインクジェットプリンタは、複数の色のインクを噴射するインクジェットプリンタであって、前記複数の色のインクを供給するインク供給源と、前記インク供給源に接続されており、複数のノズルが形成されたインクジェットヘッドであって、前記複数のノズルが、前記複数色のインクのうち互いに異なる色のインクをそれぞれ噴射する複数のノズル群を形成するインクジェットヘッドと、前記ノズルから前記インクジェットヘッド内の液体を排出させるパージ機構と、前記インクジェットヘッド及び前記パージ機構を制御するコントローラと、前記インクジェットプリンタの初回の使用前の状態において、前記インクジェットヘッドに充填された充填液であって、前記複数色のインクとは異なる液体であって、ある色の色材を含む充填液とを備え、前記コントローラは、前記インクジェットプリンタの初回の使用前に、前記パージ機構を制御して、前記インクジェットヘッド内の前記充填液を排出させて、前記インクジェットヘッド内の充填液を、前記インク供給源から供給される前記インクに置換させる初期パージを行わせ、前記初期パージ後、前記インクジェットヘッドを制御して、前記インク供給源から前記インクジェットヘッドに供給される前記インクと、前記インクが前記インクジェットヘッド内に供給されることによって前記充填液の一部が置換された置換インクとの間の色差に応じて、前記複数のノズルから排出させる排出インクの量を調整して初期フラッシングを行わせることを特徴とする。
【００１０】
本発明によると、初期フラッシングにおいて、互いに異なる色のインクを噴射する複数種類のノズルから、それぞれ、インク供給源から供給されるインクと、充填液を置換した置換インクとの色差に応じた量のインクを噴射させることができるため、初期フラッシングにおいてインクが過剰に噴射されてしまうことがなく、初期フラッシングにおけるインクの消費量を抑えることができる。
第２の発明に係るインクジェットプリンタは、複数の色のインクを噴射するインクジェットプリンタであって、前記複数の色のインクを供給するインク供給源と、前記インク供給源に接続されており、複数のノズルが形成されたインクジェットヘッドであって、前記複数のノズルが、前記複数色のインクのうち互いに異なる色のインクをそれぞれ噴射する複数のノズル群を形成するインクジェットヘッドと、前記ノズルから前記インクジェットヘッド内の液体を排出させるパージ機構と、前記インクジェットヘッド及び前記パージ機構を制御するコントローラと、前記インクジェットプリンタの初回の使用前の状態において、前記インクジェットヘッドに充填された充填液であって、前記複数色のインクとは異なる液体であって、ある色の色材を含む充填液とを備え、前記コントローラは、前記インクジェットプリンタの初回の使用前に、前記パージ機構及び前記インクジェットヘッドを制御して、初期パージ及び初期フラッシングを含む初期排出動作を実行させ、且つ、前記インク供給源から前記インクジェットヘッドに供給される前記インクと、前記インクが前記インクジェットヘッド内に供給されることによって前記充填液の一部が置換された置換インクとの間の色差が小さいほど、前記初期排出動作において前記インクジェットヘッドから排出される排出インクの量が少なくなるように調整することを特徴とする。
本発明によると、初期フラッシング及び／又は初期パージにおいて、互いに異なる色のインクを噴射する複数種類のノズルから、それぞれ、インク供給源から供給されるインクと、充填液を置換した置換インクとの色差に応じた量のインクを噴射させることができるため、初期フラッシング及び／又は初期パージにおいてインクが過剰に噴射されてしまうことがなく、初期フラッシング及び／又は初期パージにおけるインクの消費量を抑えることができる。
【００１１】
第３の発明に係るインクジェットプリンタは、前記第２の発明において、前記コントローラは、前記パージ機構を制御して、前記インクジェットヘッド内の前記充填液を排出させて、前記インクジェットヘッド内の充填液を、前記インク供給源から供給される前記インクに置換させる前記初期パージを行わせ、前記初期パージ後、前記インクジェットヘッドを制御して、前記色差が小さいほど、前記複数のノズルから排出させる排出インクの量が少なくなるように調整して前記初期フラッシングを行わせることを特徴とする。
【００１２】
本発明によると、初期パージ後、インクジェットヘッドを制御して、色差に応じて、複数のノズルから排出させる排出インクの量を調整してインクを排出することができる。また、上記色差が小さいほど、初期フラッシングにおけるインクの噴射量を少なくすることにより、初期フラッシングにおいてインクが過剰に噴射されてしまうことがなく、初期フラッシングにおけるインクの消費量を抑えることができる。
【００１３】
第４の発明に係るインクジェットプリンタは、前記第１の発明において、前記コントローラは、前記色差が小さいほど、前記初期フラッシングにおけるインクの噴射量が少なくなるように、前記インクジェットヘッドを制御することを特徴とする。
【００１４】
本発明によると、上記色差が小さいほど、初期フラッシングにおけるインクの噴射量を少なくすることにより、初期フラッシングにおいてインクが過剰に噴射されてしまうことがなく、初期フラッシングにおけるインクの消費量を抑えることができる。
【００１５】
第５の発明に係るインクジェットプリンタは、前記第３又は第４の発明において、前記複数の色のインクは、イエロー、マゼンタ、シアンのインクを含み、前記複数のノズルは、イエローのインクを噴射するイエローノズル、マゼンタのインクを噴射するマゼンタノズル、及び、シアンのインクを噴射するシアンノズルを含み、前記充填液は、イエローの色材のみを含んでおり、前記コントローラは、前記初期フラッシングにおいて、前記シアンノズルから噴射させるインクの噴射量を、前記イエローノズル、及び、前記マゼンタノズルから噴射させるインクの噴射量よりも少なくなるように、前記インクジェットヘッドを制御することを特徴とする。
【００１６】
本発明によると、イエロー、マゼンタ及びシアンのインクを噴射するインクジェットヘッドにおいて、充填液をイエローの色材のみを含むものとすると、後述するように、上記色差は、シアンのインクにおいて最も小さくなる。したがって、初期フラッシングにおいて、シアンノズルからのインクの噴射量を、イエローノズル及びマゼンタノズルからのインクの噴射量よりも少なくすることにより、初期フラッシングにおいてインクが過剰に噴射されてしまうことがなく、初期フラッシングにおけるインクの消費量を抑えることができる。
【００１７】
さらに、充填液をイエローの色材のみを含むものとした場合には、後述するように、初期パージ直後の状態で、いずれの色のインクの上記色差もそれほど大きくはならないので、初期フラッシングにおいていずれのノズルからもそれほど多くのインクを噴射させる必要がなく、初期フラッシングにおけるインクの消費量を低減することができる。
【００１８】
第６の発明に係るインクジェットプリンタは、前記第１又は３の発明において、前記複数の色のインクが、色材として顔料を含むブラックのインクと、色材として染料を含むカラーのインクとを含み、前記充填液の色材が、前記カラーインクと同じ染料であることを特徴とする。
【００１９】
充填液の色材がブラックインクの顔料を含む場合には、後述するように、充填液の色材がカラーインクと同じ染料である場合に比べて、インクの色間での上記色差のばらつきが大きくなるため、初期フラッシングを行っても、インクの色間での上記色差のばらつきが十分に解消されず、印刷品質に影響を及ぼしてしまう虞がある。
【００２０】
しかしながら、本発明によると、充填液の色材がカラーインクと同じ染料であるため、後述するように、インクの色間での上記色差のばらつきが小さく、充填液が印刷品質に与える影響を小さくすることができる。
【００２２】
第７の発明に係るインクジェットプリンタは、前記第１の発明において、前記充填液は、前記複数の色のインクに対して共通であり、前記パージ機構は、複数の前記ノズル群を覆う吸引キャップと、前記吸引キャップを前記インクジェットヘッドに当接するように移動させる移動機構と、前記吸引キャップに連通した吸引ポンプとを備えることを特徴とする。
【発明の効果】
【００２４】
本発明は、初期フラッシング及び／又は初期パージにおいて、互いに異なる色のインクを噴射する複数種類のノズルから、それぞれ、インク供給源から供給されるインクと、充填液を置換した置換インクとの色差に応じた量のインクを噴射させることができるため、初期フラッシング及び／又は初期パージにおいてインクが過剰に噴射されてしまうことがなく、初期フラッシング及び／又は初期パージにおけるインクの消費量を抑えることができる。
【図面の簡単な説明】
【００２５】
【図１】本発明の実施の形態に係るプリンタの概略構成図である。
【図２】図１の制御装置の機能ブロック図である。
【図３】プリンタの動作を示すフローチャートである。
【発明を実施するための形態】
【００２６】
以下、本発明の好適な実施の形態について説明する。
【００２７】
本実施の形態に係るプリンタ１は、インクジェットプリンタであって、図１に示すように、キャリッジ２、インクジェットヘッド３、サブタンク４、用紙搬送ローラ５、吸引キャップ６、切り替え装置７、吸引ポンプ８、廃液タンク９、フラッシングフォーム１０などを備えている。また、プリンタ１の動作は、制御装置５０によって制御されている。
【００２８】
キャリッジ２は、走査方向（図１の左右方向）に延びた２本のガイドレール１１に沿って、走査方向に往復移動する。インクジェットヘッド３は、キャリッジ２上に配置されており、インクジェットヘッド３の下面に形成された複数のノズル２５からインクを噴射する。ここで、インクジェットヘッド３の下面には、走査方向に沿って４列のノズル列２６が配置されている。各ノズル列２６は走査方向と直交する紙送り方向（図１の上下方向）に並んだ複数のノズル２５を含んでいる。そして、これら４つのノズル列２６を構成する複数のノズル２５からは、各ノズル列２６ごとにそれぞれ異なる色のインクが吐出される。本実施形態では、図１の右側のノズル列２６を構成するノズル２５から順に、ブラック、イエロー、シアン、マゼンタのインクがそれぞれ噴射される。なお、本実施の形態では、イエロー、マゼンタ及びシアンのインクを噴射するノズル２５が、それぞれ、本発明に係るイエローノズル、マゼンタノズル、及びシアンノズルに相当する。
【００２９】
また、インクジェットヘッド３から噴射される上記４色のインクのうち、ブラックのインクは色材として顔料を含むインク（顔料インク）であり、カラー（イエロー、シアン、マゼンタ）のインクは色材として染料を含むインク（染料インク）である。
【００３０】
サブタンク４は、キャリッジ２上に配置されている。サブタンク４の内部は４つの小室に仕切られており、インクジェットヘッド３に上記４色のインクを供給する。また、サブタンク４は、４本のインクチューブ１２を介して、プリンタ１に対して着脱可能な４つのインクカートリッジ１３に接続されている。４つのインクカートリッジ１３には図１の右側に配置されているものから順に、ブラック、イエロー、シアン、マゼンタのインクが貯留されており、インクカートリッジ１３に貯留されたインクは、インクチューブ１２からサブタンク４に供給され、さらにサブタンク４からインクジェットヘッド３に供給される。用紙搬送ローラ５は、記録用紙Ｐを紙送り方向に搬送する。
【００３１】
そして、プリンタ１においては、用紙搬送ローラ５によって紙送り方向に搬送される記録用紙Ｐに向かって、キャリッジ２とともに走査方向に往復移動するインクジェットヘッド３からインクが噴射される。このようにして、記録用紙Ｐに印刷が行われる。
【００３２】
吸引キャップ６は、キャリッジ２が図１の右方にほぼ最大限移動した状態で、インクジェットヘッド３と対向するように配置されている。吸引キャップ６は、ブラックのインクを噴射する、図１の最も右側のノズル列２６を構成するノズル２５と対向するキャップ部６ａと、カラーのインクを噴射する、図１の左側３列のノズル列を構成するノズル２５と対向するキャップ部６ｂとを備えている。また、吸引キャップ６は、昇降機構３１（図２参照）によって昇降可能である。インクジェットヘッド３と吸引キャップ６とが対向した状態で、吸引キャップ６を上昇させると、最も右側のノズル列２６を構成する、ブラックのインクを噴射するノズル２５がキャップ部６ａに覆われる。それと同時に、左側３列のノズル列２６を構成する、カラーのインクを噴射するノズル２５がキャップ部６ｂに覆われる。
【００３３】
また、２つのキャップ部６ａ、６ｂは、それぞれ、チューブ１４ａ、１４ｂを介して、切り替え装置７に接続されている。また、切り替え装置７はチューブ１５を介して吸引ポンプ８に接続されている。そして、切り替え装置７は、吸引ポンプ８を、チューブ１４ａ、１４ｂのうちのいずれかと選択的に接続する。吸引ポンプ８は、例えばチューブポンプであってもよい。吸引ポンプ８は、切り替え装置７と反対側において、チューブ１６を介して廃液タンク９に接続されている。
【００３４】
そして、プリンタ１においては、上述したように、吸引キャップ６がノズル２５を覆った状態で、吸引ポンプ８を駆動して、ノズル２５からインクジェットヘッド３内の異物などをインクとともに排出させる、いわゆる吸引パージを行うことができる。なお、このとき、切り替え装置７により、吸引ポンプ８とキャップ部６ａとが接続されていた場合には、インクジェットヘッド３からブラックのインクが排出される。また、吸引ポンプ８とキャップ部６ｂとが接続されていた場合には、インクジェットヘッド３からカラーのインクが排出される。
【００３５】
フラッシングフォーム１０は、スポンジなどインクを吸収可能な材料により構成され、キャリッジ２が図１の左方に最大限移動した状態で、インクジェットヘッド３と対向するように配置されている。
【００３６】
そして、プリンタ１においては、上述したようにキャリッジ２が、インクジェットヘッド３がフラッシングフォーム１０と対向する位置まで移動した状態で、ノズル２５からインクが噴射される。これにより、いわゆるフラッシングを行うことができ、インクジェットヘッド３内の異物を排出させることができる。
【００３７】
次に、プリンタ１の動作を制御する制御装置５０について説明する。制御装置５０は、ＣＰＵ（Central Processing Unit）、ＲＯＭ（Read Only Memory）、ＲＡＭ（Random Access Memory）などを含み、これらが協働して、図２に示すように印刷制御部５１、パージ制御部５２、フラッシング制御部５３などとして動作する。
【００３８】
印刷制御部５１は、プリンタ１において印刷を行う際の、キャリッジ２、インクジェットヘッド３、用紙搬送ローラ５などの制御を行う。パージ制御部５２は、上述の吸引パージを行う際の、キャリッジ２、昇降機構３１、吸引ポンプ８などの制御を行う。フラッシング制御部５３は、上述のフラッシングを行う際の、キャリッジ２、インクジェットヘッド３などの制御を行う。
【００３９】
ここで、プリンタ１の出荷時には（つまり、初回の印字前の状態では）、インクジェットヘッド３及びインクチューブ１２に、インクとは異なる充填液が充填されている。この充填液は、上記３色のカラーのインクのいずれかと同じ染料の色材を含む液体である。ただし、充填液の色材の濃度は、インクの色材の濃度に比べて少ないので、充填液の色はインクの色に比べて薄い。例えば、インクに対する色材の濃度が0.2％程度であるのに対して、充填液に対する色材の濃度が0.02％程度である。
【００４０】
なお、充填液は無色透明な液体ではなく、色材を含む液体である。このように、充填液が色材を含んでいるので、例えば、プリンタ１の製造時におけるノズル検査に用いることができる。つまり、インクジェットヘッド３から記録用紙Ｐなどに色材を含む充填液を噴射させ、充填液が着弾した記録用紙Ｐを検査することにより、ノズル２５が正常であるかを検査することができる。ここで、プリンタ１の製造時に、インクジェットヘッド３に通常のインクを充填して、上述したようなノズル２５の検査を行うことも考えられる。しかしながら、通常のインクを用いてノズル検査を行った場合と比較して、ノズル２５の検査の後、インクジェットヘッド３内のインクを充填液に置換する工程が不要となるので、プリンタ１の製造工程が簡略化される。
【００４１】
そして、このように出荷時にインクジェットヘッド３などにインク以外の充填液が充填されている場合には、プリンタ１の初回の使用の前に、インクジェットヘッド３やインクチューブ１２に充填された充填液を、インクカートリッジ１３から供給されるインクに置換する必要がある。ここで、「初回の使用」とは、ユーザーがプリンタ１を用いて始めて印字を行うときを表し、印字は、充填液ではなく、通常のインクを用いて行われる。以下、充填液をインクに置換する手順について、図３のフローチャートを用いて説明する。なお、本実施形態においては、図３に示されるフローは、プリンタ１に電源が投入されたときに開始される。
【００４２】
図３に示すように、プリンタ１に電源が投入されると、まず、初回の使用であるか否かが判断され（ステップ１０１、以下、単にＳ１０１などとする）、２回目以降の使用である場合には（Ｓ１０１：ＮＯ）、以下に説明する初期パージや初期フラッシングを行わず、そのまま印刷を行うための通常動作へ移行する。なお、通常動作における制御については従来と同様であるので、ここでは詳細な説明を省略する。
【００４３】
初回の使用である場合には（Ｓ１０１：ＹＥＳ）、パージ制御部５２がキャリッジ２、吸引ポンプ８、昇降装置３１等を制御して、吸引パージ（初期パージ）を実行する。これにより、ノズル２５からインクジェットヘッド３及びインクチューブ１２内の充填液を排出させる（Ｓ１０２）。インクジェットヘッド３及びインクチューブ１２から充填液が排出されると、その分、インクカートリッジ１３からインクジェットヘッド３及びインクチューブ１２にインクが流れ込み、これにより、インクジェットヘッド３及びインクチューブ１２内の充填液がインクに置換される。
【００４４】
続いて、フラッシング制御部５３がインクジェットヘッド３、キャリッジ２などを制御して、フラッシング（初期フラッシング）を実行する。これにより、ノズル２５からインクを噴射する（Ｓ１０３）。そして、初期フラッシングが完了した後に、通常動作に移行する。なお、上述の初期パージと初期フラッシングとをあわせて、初期排出動作と呼ぶ。
【００４５】
ここで、本実施の形態では、上記初期パージによってインクジェットヘッド３内に充填されていた充填液をインクカートリッジ１３から供給されたインクに置換している。しかしながら、初期パージが完了した直後の状態においては、インクジェットヘッド３内に、初期パージでは排出しきれなかった充填液が残留している。そのため、この状態では、充填液がインクに混ざり、インクの色がインクカートリッジ１３から供給されるインクの色とは異なっている。このとき、インクカートリッジ１３から供給されるインク（以下、供給インクとする）と、充填液を置換したインク（以下、置換インクとする）との間に色差が大きいと、印刷品質に影響を与えてしまう虞がある。
【００４６】
そこで、本実施の形態では、初期パージの後、初期フラッシングにより、残留した充填液をインクとともにノズル２５から排出させている。そして、これにより、上記供給インクと置換インクとの色差が小さくなり、十分な印刷品質が確保される。
【００４７】
ここで、供給インクと置換インクとの間の色差は、供給インクの色及び／又は置換インクの色によって異なる。ここで、初期フラッシングにおいて全てのノズル２５から一律に同じ量のインクを噴射させる場合を考える。この場合には、十分な印刷品質を確保するために、上記置換インクに対する色差が最も大きくなる供給インクを噴射するノズル２５から噴射させるのと同じ量のインクを全てのノズル２５から噴射させる必要がある。そのため、他の色の供給インクを噴射するノズル２５から過剰なインクを噴射させることとなってしまう。そして、その結果、初期フラッシングにおけるインクの消費量が多くなってしまう。
【００４８】
そこで、本実施の形態では、初期フラッシングにおいて、置換インクに対する色差が小さい色の供給インクを噴射するノズル２５は、置換インクに対する色差が大きい色の供給インクを噴射する別のノズル２５に比べて、噴射させるインクの量を少なくする（上記色差に応じて初期フラッシングにおけるインクの噴射量を変える）。具体的には、初期フラッシングは、各ノズル２５からインクを複数回にわたって噴射させることによって行われる。ここで、上記置換インクに対する色差が小さい供給インクを噴射するノズル２５ほど、初期フラッシングにおけるインクの噴射回数を少なくしてもよい。あるいは、置換インクに対する色差が小さい色の供給インクを噴射するノズル２５は、置換インクに対する色差が大きい色の供給インクを噴射する別のノズル２５に比べて、初期フラッシングにおける、１回のインクの噴射により噴射されるインクの体積を小さくしてもよい。あるいは、置換インクに対する色差が小さい供給インクを噴射するノズル２５ほど初期フラッシングにおける、１回のインクの噴射により噴射されるインクの体積を小さくしてもよい。そして、これにより、初期フラッシングにおいてノズル２５から過剰にインクが噴射されることがなくなり、初期フラッシングにおけるインクの消費量を極力抑えることができる。
【００４９】
次に、本発明の実施例について説明する。本実施例では、色差に関する指標として、ＣＩＥ（国際照明委員会）が推奨するＬ＊ａ＊ｂ＊表色系を用いる。パラメータＬ＊は明度を示しており、パラメータａ＊は値が大きいほど赤、値が小さいほど緑を示し、パラメータｂ＊は値が大きいほど黄色、値が小さいほど青いことを示す。表１は、イエロー（Ｙ）、マゼンタ（Ｍ）、シアン（Ｃ）の供給インク及び置換インクの色の、Ｌ＊ａ＊ｂ＊表色系におけるパラメータＬ＊、ａ＊、ｂ＊と、各色の供給インクと置換インクとの色差ΔＥとを示している。
【００５０】
【表１】
0005879868.tif 000002
【００５１】
ここで、表１のパラメータＬ＊、ａ＊、ｂ＊は、インクジェットヘッド３から、ある白色の記録用紙Ｐに噴射させたインクの色を分析することによって得たものである。なお、表１では、「充填液」の欄が「−」となっているものが、供給インクの色を示すものとなっている。また、色差ΔＥは、以下のように定義される。ここで、Ｌ０＊，ａ０＊、ｂ０＊はそれぞれ、充填液のＬ＊，ａ＊，ｂ＊を表している。
【数１】
0005879868.tif 000003
【００５２】
また、本実施例では、充填液として、（ａ）マゼンタの色材を含む充填液、（ｂ）イエローの色材を含む充填液、及び、（ｃ）ブラックとイエローの色材を含む充填液を用いており、表１では「充填液」の欄が「Ｍ」、「Ｙ」及び「Ｂｋ＋Ｙ」となっているものが、それぞれ、上記（ａ）、（ｂ）及び（ｃ）の充填液を用いた場合を示している。なお、各充填液における色材の濃度は０．４％となっている。
【００５３】
表１の結果からわかるように、マゼンタの色材を含む充填液、及び、イエローの色材を含む充填液を用いた場合には、供給インクと置換インクとの色差ΔＥは、供給インクの色がシアンである場合に最も小さく、以下、マゼンタ、イエローの順に小さくなっている。また、ブラックとイエローの色材を含む充填液を用いた場合には、供給インクと置換インクとの色差ΔＥは、供給インクの色がイエローである場合に最も小さく、以下、マゼンタ、シアンの順に小さくなっている。
【００５４】
そして、本実施の形態では、表１に示すような色差ΔＥの値が制御装置５０のＲＡＭなどに記憶されており、初期フラッシングにおいて、記憶された色差ΔＥを参照して、置換インクに対する色差ΔＥが小さい色の供給インクを噴射するノズル２５からほど、インクの噴射量を少なくする。
【００５５】
ここで、例えば、イエローの色材を含む充填液を用いた場合には、色差ΔＥは、色材の色に最も近いイエローのインクにおいて最も小さくなるようにも思われる。しかしながら、表１の結果では、色差ΔＥは、供給インクの色がシアンである場合に最も小さくなっており、供給インクの色がイエローである場合に、色差ΔＥが最も大きくなっている。
【００５６】
そこで、検討すると、一般に、イエロー、シアン、マゼンタの供給インクに、これらのうちいずれかの色の色材を含む充填液が混ざった場合には、混ざった後のインク（置換インク）の色が混ざる前のよりも暗い色となることが知られている（減法混色）。したがって、混ざる前の色が明るい色であるほど、充填液と混ざることによる色の変化は大きなものとなる。
【００５７】
以上のことから、イエローの色材を含む充填液を用いた場合の色差ΔＥは、供給インクの色が最も暗い色であるシアンである場合に最も小さくなり、逆に、供給インクの色が最も明るい色であるイエローである場合に最も大きくなっているものと思われる。なお、充填液がマゼンタあるいはシアンの色材を含むものである場合にも同様のことがいえる。
【００５８】
さらに、上述したように、色材を含む充填液と混ざることによる色の変化は、供給インクの色がイエローである場合において最も大きくなる。そのため、充填液と混ざることによる上記３色の供給インクの色の変化を小さくするという観点からは、イエローインクに最も近いイエローの色材を含む充填液を用いることが好ましい。
【００５９】
さらに、印刷品質への影響を十分に小さくするためには、色差ΔＥが例えば２よりも小さいことが好ましいが、イエローの色材を含む充填液を用いた場合には、表１の結果からわかるように、初期パージが完了した時点で、いずれの色におけるΔＥも、２より小さくなっている。したがって、初期フラッシングにおいて、いずれの色のインクを噴射するノズル２５からもそれほど多くのインクを噴射する必要がなく、初期フラッシングにおけるインクの消費量を低減することができる。そして、この結果からも、イエローの色材を含む充填液を用いることが好ましいことがわかる。
【００６０】
なお、表１では供給インクがカラーインク（イエロー、シアン、マゼンタ）である場合について、各色の供給インクのパラメータＬ＊、ａ＊、ｂ＊及び色差ΔＥについてのみ示している。供給インクがブラックインクである場合においては、色材を含む充填液と混ざることによる色変化が、カラーインクに比べれば僅かなものであり、置換インクに対するブラックの供給インクの色差ΔＥが、置換インクに対するカラーの供給インクの色差ΔＥに比べて十分に小さなものとなっている。したがって、初期フラッシングにおいて、ブラックインクを噴射するノズル２５からは、カラーインクを吐出するノズル２５のうち、インクの噴射量の最も少ないノズル２５よりもさらに少ない量のインクを噴射させる。
【００６１】
また、ブラックとイエローの色材を含む充填液を用いた場合には、イエローの色材を含む充填液を用いた場合と比較すればわかるように、マゼンタ及びシアンのインクにおけるΔＥが特に大きくなっている。言い換えると、供給インクの色の違いによるΔＥのばらつきが大きくなっている。そして、このような場合には、初期フラッシングにおいて、マゼンタ及びシアンのインクを噴射するノズル２５からある程度多くのインクを噴射したとしても、供給インクと置換インクとの色差ΔＥはそれほど小さくなりにくく、供給インクの色の違いによるΔＥのばらつきは大きいままとなってしまうため、印刷品質に与える影響が大きくなる。
【００６２】
したがって、充填液に含まれる色材は、ブラックのインクの色材である顔料よりも、カラーのインクの色材である染料であることが好ましい。
【００６３】
次に、本実施の形態に種々の変更を加えた変形例について説明する。ただし、本実施の形態と同様の構成を有するものについては、適宜その説明を省略する。
【００６４】
上述の実施の形態では、インクジェットヘッド３がブラックのインクとカラーのインクとを噴射可能なものであったが、インクジェットヘッド３は、カラーインクのみを噴射可能なものであってもよい。
【００６５】
上述の実施の形態では、充填液の色材が、カラーの供給インクの１つに含まれる色材（染料）と同一の色材であったが、本教示はこれには限られない。充填液の色材は、ブラックの供給インクの色材である顔料であってもよい。さらには、充填液の色材は、カラーインクの色材である染料やブラックインクの色材である顔料以外の色材であってもよい。例えば、供給インクとして用いられているシアン、マゼンタ、イエローの各カラーインクに含まれる色材と異なる色の色材を充填液の色材として用いてもよい。また、上述の実施形態では、１種類の充填液をすべての供給インクに対して共通に用いていたが、本教示はこれには限られない。例えば、供給インクの色に対応して、それぞれ異なる色材を含んだ複数の充填液を用いてもよい。なお、その場合には、吸引キャップ６の内部が各色に対応するノズル列ごとに区分けされるなどして、各色毎に吸引パージが行えることが好ましい。
【００６６】
また、上述の実施の形態では、初期フラッシングにおいて、置換インクに対する色差が小さい色の供給インクを噴射するノズル２５ほど、インクの噴射量を少なくしていた。しかしながら、本教示はこれには限られない。例えば、初期フラッシングにおいて、上記色差ΔＥがある閾値以下となる色の供給インクのノズル２５からの噴射量を一定量とするとともに、上記色差ΔＥがある閾値を超える色の供給インクのノズル２５からの噴射量を、色差ΔＥが閾値以下の場合よりも少ない一定量にするなどしてもよい。さらには、供給インクと置換インクとの色差に応じて、初期フラッシングにおける各色のインクを噴射するノズル２５からのインクの噴射量を変えてもよい。
【００６７】
上述の実施形態では、供給インクと置換インクとの間の色差の大きさに基づいて、初期フラッシングにおけるインクの噴射量を調整していたが、本教示はこれには限られない。例えば、初期フラッシングに加えて、あるいは、初期フラッシングに代えて、初期パージにおけるインクの排出量を、供給インクと置換インクとの間の色差の大きさに基づいて調整してもよい。前述のように、初期パージを実行することにより、インクジェットヘッド３及びインクチューブ１２内の充填液の一部が供給インクに置換されて、置換インクとなる。例えば、供給インクと置換インクとの間の色差が大きい場合には、色差が小さい場合と比べて初期パージにおけるインクの排出量を多くしてもよい。この場合には、初期パージ終了時における置換インクと供給インクとの間の色差を小さくすることができるとともに、供給インクの色の違いによる色差のばらつきを抑えることができる。これにより、充填液が印刷品質に与える影響を小さくすることができる。
【００６８】
また、上述の実施の形態では、初期パージにおいて、吸引ポンプ８を用いて、ノズル２５からインクジェットヘッド３内のインクを吸引する吸引パージによりインクジェットヘッド３内のインクを排出していた。しかしながら、インクジェットヘッド３内のインクにサブタンク４側から圧力を付与する、いわゆる押しパージによって、ノズル２５からインクジェットヘッド３内のインクを排出させてもよい。
【００６９】
また、以上では、キャリッジとともに走査方向に移動しつつインクを噴射するいわゆるシリアル式のインクジェットヘッドを備えたプリンタに本発明を適用した例について説明したが、これには限られず、例えば、プリンタに固定されているとともに記録用紙Ｐの幅方向の全長にわたって延びた、いわゆるラインヘッドを備えたプリンタに本発明を適用することも可能である。
【符号の説明】
【００７０】
１    プリンタ
３    インクジェットヘッド
６    吸引キャップ
８    吸引ポンプ
１３  インクカートリッジ
２５  ノズル
５０  制御装置
【図１】
0005879868.tif 000004
【図２】
0005879868.tif 000005
【図３】
0005879868.tif 000006